Podtech/llm-jp-corpus-v4-ja_patent huggingface dataset:
(57)【要約】【課題】女性の子宮が温められる座布団を提供する。【解決手段】座布団１は、座部４の中央部にこの座部４よりも盛り上がっている膨出部５を設け、この膨出部５の中に温熱源６を収納することにより、女性の子宮を簡単にかつ確実に温めるようにしたものである。【選択図】図１
2013233403.tif 000002
【特許請求の範囲】
【請求項１】
座部の中央部にこの座部よりも盛り上がっている膨出部を設け、この膨出部の中に温熱源を収納したことを特徴とする座布団。
【請求項２】
前記膨出部を女性の子宮に当たる部分に設けたことを特徴とする請求項１に記載の座布団。
【請求項３】
前記温熱源が収納されたときの前記膨出部の高さ寸法を２〜４ｃｍ、幅寸法を１１〜１３ｃｍ、長さ寸法を１９〜２１ｃｍとしたことを特徴とする請求項１又は２に記載の座布団。
【請求項４】
前記膨出部には前記温熱源であるカイロを収納するポケット部を形成したことを特徴とする請求項１〜３のいずれかに記載の座布団。
【発明の詳細な説明】
【技術分野】
【０００１】  本発明は、温熱作用により身体の一部を温める座布団に関するものである。
【背景技術】
【０００２】  身体を温めるために、座布団に使い捨てカイロを収納するポケット部を設けたものが特許文献１で提案されている。【０００３】  また、「よもぎ蒸し」という韓国で古くから伝わる女性向けの伝統療法があり、産後の肥立ちを良くするために家庭で行なわれてきたものがある。これは、後に産婦人科系の疾患や美容にも良いと考えられるようになった療法であり、冷え症の改善や血行促進、デトックス効果だけでなく、生理痛や生理不順、更年期障害といった婦人科系の不調の改善などにも効果があると言われている。そのポイントは、「子宮を温める」ことにあり、子宮を温めることで体の内側から温められ血行促進、体温上昇が期待できるのである。【０００４】
【特許文献１】実用新案登録第３１２２１６１号
【発明の開示】
【発明が解決しようとする課題】
【０００５】  上記特許文献１で提案された座布団は、身体の臀部を温めるのには有効であるが、上述したとおり、女性の子宮を温める作用がない課題を有していた。また、韓国で行われている「よもぎ蒸し」療法として、カイロをナプキンのような状態で患部に貼り付けて使用する商品も知られているが、身体に装着することの不快感が大きいという、課題を有していた。【０００６】  本発明はかかる課題を解決するために発明したものであり、女性の子宮を効率良く温めることができる座布団を提供するものである。
【課題を解決するための手段】
【０００７】  本発明の請求項１に記載の座布団は、座部の中央部にこの座部よりも盛り上がっている膨出部を設け、この膨出部の中に温熱源を収納したものである。【０００８】  このようにしたので、座布団は膨出部が温熱源により加温されるため、女性の子宮が温められることになる。【０００９】  本発明の請求項２に記載の座布団は、膨出部を女性の子宮に当たる部分に設けるようにしたものである。【００１０】  このようにしたので、女性の子宮が確実に温められることになる。【００１１】  本発明の請求項３に記載の座布団は、温熱源が収納されたときの膨出部の高さ寸法を２〜４ｃｍ、幅寸法を１１〜１３ｃｍ、長さ寸法を１９〜２１ｃｍとしたものである。【００１２】  このように、高さ寸法と幅寸法と長さ寸法を日本人女性の平均値の寸法に設定したので、肥満タイプから痩せすぎタイプの女性でも女性の子宮が確実に温められることになる。【００１３】  本発明の請求項４に記載の座布団は、膨出部には温熱源であるカイロを収納するポケット部を形成したものである。【００１４】  このようにしたので、膨出部にはカイロを簡単に収納でき、特に使い捨てカイロであれば、使用に便利である。
【発明の効果】
【００１５】  本発明の請求項１に記載の座布団によれば、温熱源で加温されている膨出部によって女性が座布団に座るだけで女性の子宮を温めることができるため、よもぎ蒸しのように座り姿勢のまま身体の下から温めることを手軽に行えるので、継続して治療を行うことで体質改善を図ることができ、しかも、身体に付けることがないので着脱の手間が無く、熱いと感じた際にはすぐに膨出部から離れることもできるため安全性も高いという、本発明特有の効果を発揮することができる。【００１６】  本発明の請求項２に記載の座布団によれば、膨出部に女性の子宮が当たるため、子宮を確実に温めることができるという、本発明特有の効果を発揮することができる。【００１７】  本発明の請求項３に記載の座布団によれば、膨出部の高さ寸法と幅寸法と長さ寸法を日本人女性の平均値の寸法に設定したため、肥満、痩せすぎのどのようなタイプの女性でも女性の子宮を確実に温めることができるという、本発明特有の効果を発揮することができる。【００１８】  本発明の請求項４に記載の座布団によれば、膨出部にカイロを簡単に収納でき、一般的な使い捨てカイロでも簡単に子宮を温めることができるため、使いやすく便利であるという、本発明特有の効果を発揮することができる。
【発明を実施するための最良の形態】
【００１９】  以下、本発明の実施形態を添付図面に基づいて説明する。図１乃至図３において、１は表面の布２として感触の良い綿やポリエステル（ボア形状）を用い、裏面シート３には滑りにくい形状のポリエステル生地とウレタンシートを用いた座布団である。
４は身体の臀部を受ける座部であり、特に女性が座った際、子宮の位置するこの中央部には座部４よりも盛り上がっている膨出部５が設けられている。【００２０】  この膨出部５には、温熱源６が収納されるポケット部７が形成されている。温熱源６としては、ポケット部７の中にこのポケット部７の入口８から簡単に出し入れできる使い捨てカイロが用いられている。尚、温熱源６としては、使い捨てカイロが使い易く好適であるが、再熱可能なカイロやこれに代わる他の熱源であっても良い。【００２１】  このように、膨出部５は女性の子宮に当たる部分に設けるようにしており、温熱源６が収納されたときの膨出部５の高さ寸法Ｈを２〜４ｃｍ、幅寸法Ｗを１１〜１３ｃｍ、長さ寸法Ｌを１９〜２１ｃｍとしている。
この高さ寸法Ｈと幅寸法Ｗと長さ寸法Ｌは、日本人女性の平均値の寸法に設定しており、肥満タイプから痩せすぎタイプの女性でも子宮が確実に温められるようにしている。【００２２】  ９は座布団１の後端から両側端にかけて形成されたＵ字型の肉厚部で、パウダービーズが詰め込まれている。この肉厚部９は女性が座布団１の座部４に座ったとき、脚が開きにくいようにして姿勢を正すことにより、女性の子宮が膨出部５に確実に当たるように規制するものである。【００２３】  このように構成された本発明の座布団１は、椅子の上にクッションとして使用する形態が最適であり、女性はこの座布団１に座るだけで子宮を温めることができる。
【図面の簡単な説明】
【００２４】
【図１】本発明の座布団の平面図である。
【図２】本発明の座布団の正面図である。
【図３】本発明の座布団の側面図である。
【符号の説明】
【００２５】  １  座布団
４  座部
５  膨出部
６  温熱源
７  ポケット部
【図１】
2013233403.tif 000003
【図２】
2013233403.tif 000004
【図３】
2013233403.tif 000005
(57)【要約】【課題】体外離脱応用不老不死装置バージョン5の医療機器としての不老不死を実現。【解決手段】老衰や病人や老人の治療にあたって、ヘミシンク技術か右脳右角状回電極刺激か右脳聴覚野付近電極刺激か麻酔薬のケタミン服用で体外離脱した意識エネルギーを念じるだけで脳の電気信号で動き電源動力源で人間型ヒューマノイドサイボーグロボットに赤外線感知器で誘導、固定、入れ不老不死にした体外離脱専用の人間型ヒューマノイドサイボーグロボットにより人間肉体同様の行動が可能で、意識エネルギーの脳部分の電気信号による肉体からサイボーグロボットに移った後も脳の電気信号での行動を可能とした。【選択図】なし【特許請求の範囲】
【請求項１】
（ィ）ヘミシンク技術か右脳右角状回電極刺激か右脳聴覚野付近電極刺激か麻酔薬のケタミンを服用すれば確実に体外離脱でき意識エネルギーを体外に出し、老衰や病人や老人を中心として、
（ロ）前記体外離脱した意識エネルギーが入る脳の電気信号で全身が動く人間型ヒューマノイドサイボーグロボットを用意し、
（ハ）その人間型ヒューマノイドサイボーグロボットに意識エネルギーは赤外線で感知できるので赤外線感知器でその人間型ヒューマノイドサイボーグロボットに誘導して固定し、該意識エネルギーは熱電流として電源となり、人間型ヒューマノイドサイボーグロボットの動力源ともなり、
（ニ）前記意識エネルギーの脳に当たる部分からの脳の電気信号で人間型ヒューマノイドサイボーグロボットに入ったこの意識エネルギーにより人間肉体同様の念じることで人間肉体から人間型ヒューマノイドサイボーグロボットに移った後でも人間同様のことができ、体外離脱専用の人間型ヒューマノイドサイボーグロボットで、
以上の如く特徴を持つ医療機器としての体外離脱応用不老不死装置5。
【発明の詳細な説明】
【技術分野】
【０００１】
本発明は、体外離脱応用不老不死装置の専用人間型ヒューマノイドサイボーグロボットに関する。
【背景技術】
【０００２】
従来、ヒトｉＰＳ若返り肉体方式薬のケタミン服用体外離脱応用不老不死製法に関する技術はあったがその専用の念じて動き、動力源となる人間型ヒューマノイドサイボーグロボットはなかった。
【０００３】
【非特許文献１】「日本経済新聞  電子版」2013年8月5日
【非特許文献２】「日本経済新聞  電子版」2013年1月2日
【非特許文献３】「別冊日経サイエンス知覚は幻」2010年10月15日、114頁-117頁
【非特許文献４】「ランセット」2001年12月15日、2039頁から2045頁
【非特許文献５】「ネイチャー」2002年9月19日、269頁から270頁
【発明の開示】
【発明が解決しようとする課題】
【０００４】
従来、ヒトｉＰＳ若返り肉体方式薬のケタミン服用体外離脱応用不老不死製法に関する技術はあったがその専用の念じて動き、動力源となる人間型ヒューマノイドサイボーグロボットはなかったので最新技術よって実現させる。        
【課題を解決するための手段】
【０００５】
ヘミシンク技術か右脳右角状回電極刺激や右脳聴覚野付近電極刺激や麻酔薬のケタミン服用で体外離脱した意識エネルギーを念じて動く人間型ヒューマノイドサイボーグロボットに赤外線感知器で入れ固定することで肉体人間同様の行動はすべてでき、人間型ヒューマノイドサイボーグロボットの動力源ともなるものとする。
【発明の効果】
【０００６】
麻酔薬のケタミン服用で確実に体外離脱でき念じて動く人間型ヒューマノイドサイボーグロボットで不老不死の体と肉体の時と同じ記憶意識による行動が可能になり、動力源にその意識エネルギーの熱電流を使う。
【発明を実施するための最良の形態】
【０００７】
以下、本発明の実施例について時系列的論理的に文章で説明する。先ず、ヘミシンク技術か右脳右角状回電極刺激か右脳聴覚野付近電極刺激か麻酔薬のケタミン服用で確実に体外離脱でき、意識エネルギーを体外に出し、老衰や病人や老人を中心として、前記体外離脱した意識エネルギーが入る脳の電気信号で全身が動く人間型ヒューマノイドサイボーグロボットを用意し、その人間型ヒューマノイドサイボーグロボットに意識エネルギーは赤外線で感知できるので赤外線感知器でその人間型ヒューマノイドサイボーグロボットに誘導して固定し、該意識エネルギーを電源とし人間型ヒューマノイドサイボーグロボットの動力源ともなり、前記意識エネルギーの脳に当たる部分からの脳の電気信号で人間型ヒューマノイドサイボーグロボットに入ったこの意識エネルギーにより人間肉体同様の念ずることで人間肉体から人間型ヒューマノイドサイボーグロボットに移った後でもすべて人間と同じ事ができ、動力源の電源となり、体外離脱専用の人間型ヒューマノイドサイボーグロボットで、
以上の如く特徴を持つ医療機器としての体外離脱応用不老不死装置5。
【実施例】
【０００８】
上記の形態や非特許文献の如く実施される。
【産業上の利用可能性】
【０００９】
医療機器としての体外離脱専用の人間型ヒューマノイドサイボーグロボットによる不老不死の実現が可能になり、高齢化社会での産業上の利用可能性は高いと解される。
(57)【要約】【課題】  今までの掃除具は、掃除シートを取り付ける時に、手間がかかる、掃除シート（雑巾）の有効利用率が低いなどの問題がある。【解決手段】  本発明は掃除具の基板の下の弾性板にナイロン製の面ファスナーを全体に貼り付けることによって、掃除シートはムラがなく装着することができる。面ファスナーは掃除具の清掃面になることによって、掃除シート（雑巾）のサイズは、面ファスナーと同じサイズにできる。従来と比べて、上まで巻き止める必要がなくなることで、コストの削減に繋がる掃除具を実現できる。【選択図】図４
2013233455.tif 000002
【特許請求の範囲】
【請求項１】
掃除具の清掃面となる弾性板に全面的に特殊なフックで構成された面ファスナーを貼り付け固定させる。フック面は掃除具の清掃面になり、不織布・マイクロファイバー・綿繊維などに高い粘着力ある為、そういう材質の掃除シート（雑巾）を容易に清掃面に装着することができる掃除具である。
【発明の詳細な説明】
【技術分野】
【０００１】  掃除シートを装着させる掃除具に関する。
【背景技術】
【０００２】    主にフローリングを清拭するために用いられるシート状ワイパーは、専用の掃除具に固定して使用される。このシートの固定は通常掃除具本体に設けた係止部（複数の弾性片）に挟み込むなどして行われているが、指先で４隅をそれぞれ押し込み固定する必要があり手間であった。また、この他にも係止手段を本体に備えたものが提案されているが、接合強度が弱いなどの問題があった。【０００３】    従来のこの種の掃除具としてジョイント部を有する基板の下面に弾性板を積層し、更に清拭板を貼合した掃除具で、弾性板の長手方向側面もしくは基板の上面側端部に清拭用シートを係合させるための面ファスナーを付設された弾性体を備え、保持板の両側面複数箇所に繊維布を挟持する嵌合部を設ける掃除具が提案されている。
【先行技術文献】
【特許文献】
【０００４】
【特許文献１】  登録実用新案公報第３０３６５３３号
【特許文献２】  特開平９−１４０６５１
【発明の概要】
【発明が解決しようとする課題】
【０００５】  解決しようとする問題点は、掃除シートを簡単に掃除具本体に載せることと掃除シートのサイズを最小化にすること。
【課題を解決するための手段】
【０００６】  本発明は掃除具の基板の下の弾性板にナイロン製の面ファスナーを全体に貼り付けることによって、掃除シートはムラがなく装着することができる。この面ファスナーの特性としては、薄い、柔らかい、強靭である。フック面は特殊形状しているため、不織布・ポリエステル製・マイクロファイバー製・綿製などのシートや雑巾を適用する。
【発明の効果】
【０００７】  本発明の掃除シート固定方法とその掃除具は、弾性板に貼り付けたナイロン製面ファスナーの密度が高くて、掃除時、シートや布製雑巾など面ファスナーから外れる心配がなく、掃除性に優れる。また、面ファスナーを弾性板全体に貼り付けるため、掃除シートや雑巾のサイズは、最大に面ファスナーと同じサイズができる。従来品を比べると安価に製造可能である。
【図面の簡単な説明】
【０００８】
【図１】ナイロン製面ファスナーの正面図である。
【図２】フックの断面図である。
【図３】掃除具の斜視図である。
【図４】本発明の使用図である。
【図５】従来の掃除具斜視図である。
【発明を実施するための形態】
【０００９】  以下、本発明の実施の形態を図１〜図４に基づいて説明する。
図１に示す本実施形態の面ファスナー１は、図２に示すように、その表面に密度約１００個／ｃｍ２、高さ約０．２〜０．３ｍｍの細かなフック２で構成されており、フックの形が特殊である。推算使用回数は約８０００回〜２万回。
【００１０】また、面ファスナー１の裏面に強力な粘着剤を付けており、その面を弾性板３に貼り付けると丈夫に固定されて、本発明の掃除具になる。使い具合により、粘着剤の使用寿命は約３年〜５年。
【００１１】面ファスナーのフック面１は、本発明の掃除具の清掃面になり、掃除シート（雑巾）４を広げて、掃除具に置くだけで、本体に装着される。面ファスナー１のフック２と掃除シート（雑巾）４の繊維がくっつく事によって固定され、清掃時にシート（雑巾）４落ちと歪みを防ぐことができる。
【００１２】本発明の掃除具は、清掃面となる弾性板３に全面的に面ファスナー１を貼り付けたため、従来掃除シート（雑巾）の２０％〜４０％に小さくすることができた。面ファスナー１と同じサイズで掃除できる。コスト削減に繋がって、安価で提供できる。
【００１３】清掃後、汚れた掃除シート（雑巾）４は簡単に外して捨てられるが、例えば布製雑巾とした場合は、捨てずに洗い干せば、再使用することができ、資源の無駄をなくすことができる。
【産業上の利用可能性】
【００１４】  本発明の掃除具は、一般住宅における床面の清掃の他、それ以外の建物の床面の清掃、畳の清掃、天井の清掃などにも適用することができる。また、弾性板３の形状について、説明した長方形以外にも棒状形、三角形、楕円形などの形状とすることも可能である。
【符号の説明】
【００１５】１……ナイロン製面ファスナー
２……フック
３……弾性板
４……掃除シート（雑巾）
５……基板
６……把手
７……係止
【図１】
2013233455.tif 000003
【図２】
2013233455.tif 000004
【図３】
2013233455.tif 000005
【図４】
2013233455.tif 000006
【図５】
2013233455.tif 000007
(57)【要約】      （修正有）【課題】永久磁石の引力と斥力の特性を利用して永遠に回転を続ける回転機関を構成し、必要なときには回転エネルギーを取り出し、必要のないときには停止させることのできるシステムを提供する。【解決手段】永久磁石板からなる個々の回転子１を円形に配列する。個々の永久磁石板は下部の固定磁石３との間に斥力を受けるので、回転子１が順次回転しながら上位に移動したのち、さらに上部の固定磁石４との斥力により下位に移動し、再び下部の固定磁石３との斥力による回転を繰り返すことのできるガイド５を設ける。さらに、下部の固定磁石３を所定の位置から、回転子１との斥力が無効にとなる位置まで移動させることにより、回転を停止させる構成とする。【選択図】図２
2013233067.tif 000002
【特許請求の範囲】
【請求項１】
自由空間上において回転子とガイドの引力によりガイド上を円周方向に移動する回転体。
【請求項２】
固定子の斥力により回転子を円周方向へ移動する回転体。
【請求項３】
固定子１を回転子の回転方向と逆方向へ移動することにより回転子の回転を制御し回転子を停止することが出来る回転体。
【発明の詳細な説明】
【技術分野】
【０００１】  この発明は、磁石の引力と斥力の特性を利用して永遠に回転を続ける回転機関に関するものである。
【背景技術】
【０００２】  従来の技術では磁石の引力及び斥力を交互に使用するか電気を利用し引力と斥力を制御しエネルギーとして取り出すもの、または斥力と重力を組み合わせてエネルギーとして取り出すものがある。
【発明の概要】
【発明が解決しようとする課題】
【０００３】  しかしながら、従来の技術では、エネルギーとして有効利用できる装置より制御装置等を含めた場合、非常に煩雑になり装置自体も大掛かりとなる、また発生した電力を装置の制御に使用するため有効利用できるエネルギーが少なくなる、また、慣性力を利用したものもあるが停止した場合初動回転に必要なエネルギーを与えなければ有効に電力を取り出すことが出来ないため常に回転させなければならない、また斥力と重力を利用しエネルギーとして取り出す装置等もあるが必要の無いときも電力を発生するため非常に危険な状態になる、また自由空間において有効に利用できない、本発明はこのような従来の装置の有する問題を解決することを課題とする。
【課題を解決するための手段】
【０００４】  本発明は永久磁石の斥力と引力を利用し、固定子を移動させることにより、必要な時に斥力により回転子を回転させて回転エネルギーを取り出し、必要の無いときは回転を停止させることの出来る装置である。
本発明を図１に基づき説明する、円形に配列した回転子１ガイドの引力によりガイド上を移動する、回転子は固定子の斥力により固定子の斥力の影響範囲外に弾かれガイド上を移動する、回転子１が斥力の範囲外へ移動し他場合、回転子２は図面上のガイドの上位の位置から固定子２の斥力によりガイドに沿って固定子１の斥力影響範囲へ弾かれる、固定子１の影響範囲へ入った回転子２は先の回転子１と同じくガイドに沿って円周方向へ弾かれ移動する、各回転子は連続して同様の運動を行い円周に沿って移動することでガイドにより図面上の下位から徐々にガイド上を回転しながらガイド上位へ移動する、ガイドの上端部まで移動した回転子はガイドの上位から固定子２の斥力により下位へ弾かれ移動して下位へ移動した回転子は固定子１の斥力により円周方向へ弾かれ移動する、回転子が連続して移動することにより回転エネルギーとなり、磁力の斥力により、永久に回転するものである、固定子を回転子から離すことにより回転子は回転を停止する。
【発明の効果】
【０００５】  本発明により従来の技術では必要な制御部分が無くなり、ガイド上を固定子が移動することで斥力の影響範囲を変えて、回転子を自在に回転、停止を行い、クリーンで安全なエネルギーを永久に使用できる、またガイドを金属にした場合磁力の引力が働き回転子はガイドに引かれ自由空間において動きを制限されるためガイド上を移動するため自由空間でも有効に使用できる。
【図面の簡単な説明】
【０００６】
【図１】本発明の実施形態を示す平面図である。
【図２】本発明の側面図である。
【符号の説明】
【００７】１は回転子
２は回転子の固定軸
３は円周方向へ働く固定子
４は垂直方向へ働く固定子
５は回転子を導くガイド
６は斥力を表す
７は引力を表す
８は回転子固定用回転板
【図１】
2013233067.tif 000003
【図２】
2013233067.tif 000004
(57)【要約】【課題】酸素ガス等の混入を防止した水素ガス含有食品の提供を目的とする。【解決手段】水の電気分解により得られた水素ガスと空気との混合気体をマグネシウムと接触させた後に、食品に含有させることを特徴とする。【選択図】  なし【特許請求の範囲】
【請求項１】
水の電気分解により得られた水素ガスと空気との混合気体をマグネシウムと接触させた後に、食品に含有させることを特徴とする水素ガス含有食品。
【請求項２】
前記食品は、焙煎したコーヒー豆又はその粉末に水素ガスを含有させ、その後にチョコレートで被覆又はチョコレートに混合したことを特徴とする請求項１記載の水素ガス含有食品。
【請求項３】
チョコレートの表面を糖又はカラメルでコーティングしたことを特徴とする請求項２記載の水素ガス含有食品。
【発明の詳細な説明】
【技術分野】
【０００１】
本発明は、水素ガスを含有させた食品に関する。
【背景技術】
【０００２】
水素ガスは、成人病や老化現象を引き起こす原因の１つとされている体内の過酸化物を中和し、有害な活性酸素を除去する効果があるとされている。
また、水素ガスは細胞異常に係る疾病対策にも効果があると言われている。
特許文献１に水素気泡を分散させたゼリー状食品を開示するが、特許文献２にも記載されているように、酸素が食品に混入すると酸化作用を有し、問題となる。
【先行技術文献】
【特許文献】
【０００３】
【特許文献１】実用新案登録第３１０６００２号公報
【特許文献２】特開２００９−１６５４５９号公報
【発明の概要】
【発明が解決しようとする課題】
【０００４】
本発明は、酸素ガス等の混入を防止した水素ガス含有食品の提供を目的とする。
【課題を解決するための手段】
【０００５】
本発明に係る水素ガス含有食品は、水の電気分解により得られた水素ガスと空気との混合気体をマグネシウムと接触させた後に、食品に含有させることを特徴とする。
【０００６】
水を電気分解すると陽極に酸素ガスが発生し、陰極に水素ガスが発生する。
これらを半透膜等で分離させた陰極から発生する水素ガスを用いる。
水素ガスだけでは爆発する危険性があるので空気と混合し、金属マグネシウムに接触させるとマグネシウムは酸化されやすく、酸素ガスが酸化マグネシウムとして除去でき、水素ガスと不活性な窒素ガスとの混合気体が安価で容易に得られることが明らかになった。
また、一部の水分もマグネシウムと反応し、水酸化マグネシウムと水素ガスになる。
よって、水素ガスと空気の混合気体を金属マグネシウムに接触させることで酸素や水分が除去され、これにより安全性の高い水素ガスと窒素の混合気体が得られ、これを食品に含有させたものである。
【０００７】
このようにして得られた水素ガスは、従来のゼリー食品や各種サプリメントに含有させてもよい。
なお、水素ガスは最も小さくて軽いガスであり、食品から放出しやすい。
そこで、本発明は焙煎コーヒー豆又はその粉末にこの水素ガスを有する混合気体を接触又は混合することで、焙煎したコーヒー豆又はその粉末に水素ガスを含有させるとともに、チョコレートで被覆又はチョコレートに混合した点にも特徴がある。
【０００８】
また、食品中の水素ガスの保有性を向上するには、前記で得られたチョコレートを糖又はカラメルでコーティングしてもよい。
糖の例としては、トレハロース，乳糖，アクチトールが挙げられる。
また、カラメルは砂糖に水を混ぜ、加熱して得られたものである。
【発明の効果】
【０００９】
本発明においては、水の電気分解により発生した水素ガスを空気と混合した際に金属マグネシウムに接触させたことにより、水素ガスに混入していた酸素ガスや水分がマグネシウムにより除去されるので、不活性な窒素ガスで保護され酸素ガスが含まれない水素ガスを食品に含有させることができ、従来のように水素ガスの他に酸素ガスが混入して食品を酸化劣化する問題が無くなる。
また、水酸化マグネシウムは加熱により酸化マグネシウムになり、この酸化マグネシウムは水素ガス等の還元雰囲気中で熱プラズマにより金属マグネシウムに再生できるので、金属マグネシウムは繰り返し利用できる。
【発明を実施するための形態】
【００１０】
次に具体的に本発明に係る食品の製造例について説明する。
反応容器に陽極と陰極とを電気的に配設し、両極間をイオン交換膜（イオンロ過膜）で隔離し、陰極側から水素ガスを取り出し、空気と混合した。
この混合気体の取り出し配管経路途中に、金属マグネシウムの粉末を担持させたステンレス製のメッシュ容器を接続した。
なお、金属マグネシウムの粉末と混合気体を接触させる構造であれば、カラム構造でもよい。
金属マグネシウムと接触させた混合気体は、この混合気体中に混入していた酸素ガスが酸化マグネシウムとして除去される。
また、含まれていた水分は、水酸化マグネシウム及び活性水素ガスとして除去される。
容器に約１００ｇの焙煎したコーヒー豆をいれ、この容器中に上記で得られた水素ガス含有気体を注入し、コーヒー豆中に含有させた。
上記で水素ガスを含有させたコーヒー豆表面を溶けたチョコレートで被覆し冷却した。
これにより、小さなボール状のお菓子が得られた。
なお、上記コーヒー豆を粉末にし、溶けたチョコレートと混合し、各種形状のチョコレート菓子に成形することもできる。
このまま、チョコレート菓子として食してもよいが、長期に水素ガスを食品中に保有させる目的及びチョコレートと甘味とのコラボレートを目的に糖やカラメルで表面をコーティングしてもよい。
糖でコーティングする方法としては、トレハロース等の糖を溶媒に溶かして噴霧スプレーする方法が例として挙げられる。
また、カラメルで表面をコーティングする方法としては、水と砂糖を混ぜて加熱し溶けたカラメルを表面にからめる方法が例として挙げられる。
(57)【要約】【課題】果樹栽培において、果樹袋を介し果実に害を及ぼす昆虫の摂食を阻止をできる果樹袋掛けの実施。尚、農薬で駆除できない,甲虫類の昆虫による摂食も阻止する事のできる果樹袋掛けとする。【解決手段】果実１と果樹袋２との間に部品３、又は、部品３を果樹袋に附属させて部品として用いる事で、果実と果樹袋との間に一定以上の距離を確保して保持する事ができる。この効果により、昆虫の口吻を果実の外果皮に届かなくする事が可能となった。本発明による果樹袋を使用する事により袋掛けから収穫時まで、昆虫による果実への摂食を阻止することができる。【選択図】図１
2013233091.tif 000002
【特許請求の範囲】
【請求項１】
果実と果樹袋の間に部品を使用、又は、果樹袋に附属しているを部品を使用する事で、果実の外果皮から果樹袋までの距離を一定以上に確保、及び保持できる果樹袋掛けの運用。
【発明の詳細な説明】
【技術分野】
【０００１】
本発明は、果樹栽培に関する技術であり、昆虫の摂食による果実への被害を阻止する袋掛けの運用技術である。
【背景技術】
【０００２】
従来の果樹袋掛け技術は、一重、又は多重構造の果樹袋を果実へ袋掛け作業をするものであるが、昆虫の摂食による果実への被害は発生している。
【先行技術文献】
【特許文献】
【０００３】
【特許文献１】特開２００２−１９１２４１号公開
【発明の概要】
【発明が解決しようとする課題】
【０００４】
従来の果樹袋掛けでは、果実の肥大に伴い果実と果樹袋とが接してしまい、その部分で昆虫による摂食が多く発生する。尚、農薬で駆除のできない昆虫による摂食を防ぐ事は困難である。
【課題を解決するための手段】
【０００５】
本発明は、果実と果樹袋の間に部品を用いて、外果皮と果樹袋の間に一定以上の距離を保つ事で、昆虫の口吻を外果皮に届かなくし、果実に被害を及ぼす昆虫の摂食を阻止するものである。又、部品３の径寸法を変更する事で、果実と果樹袋との距離は任意に定める事ができる。
【発明の効果】
【０００６】
昆虫による果実への被害を阻止するには農薬散布が効果的であるが、農薬で駆除のできない昆虫による摂食を、農薬散布や従来の袋掛けで阻止するのは困難である。本発明では、農薬で駆除のできない昆虫に対しても、果実と果樹袋との間に距離を保つ事で昆虫からの摂食を阻止する事ができる。
【図面の簡単な説明】
【０００７】
【図１】果実に袋掛を行った、正面図である。
【図２】図１に示すABの断面図である。
【図３】図２に示すC部分を拡大した図であり、果樹袋を１枚使用した袋掛けの図である。
【図４】図２に示すC部分を拡大した図であり、果樹袋を２枚使用した袋掛けの図である。
【発明を実施するための形態】
【０００８】
本発明は、果実を摂食する多種の昆虫から果実を守る構造を有するものであり、図１のように袋掛けをする。図３のように、２と３を個々の部品として袋掛けをする事も、２と３を固定する事で一体の袋として袋掛けをする事もできる。図４でも同じく、２と３と５を個々の部品として袋掛けをする事も、２と３と５を固定する事で一体の袋として袋掛けをする事もできる。
【０００９】
２と３と５を個々の部品として袋掛けをする場合には、袋、及び部品３の上部を房、又は枝に固定する事で、果実の肥大に伴い、袋、及び部品３が果実の下部に移動するの防ぐ。
【実施例】
【００１０】
本発明の施行例を、図で以下に説明する。
【００１１】
図１は、果実に袋掛けを行った正面図である。袋２と部品３とを個々の部品として袋掛けする手順は、果実に部品３を取り付け、その外に袋２を取り付け、上部を、房、又は枝に止め金具で固定する。又、２と３と５を一体の袋として使用する場合も同じく、房、又は枝に上部を止め金具で固定する。
【００１２】
図３は、図２のC詳細図であり、部品３と１枚の果樹袋使用した袋掛けの詳細図である。
【００１３】
図４は、図２のC詳細図であり、部品３と２枚の果樹袋を使用した袋掛けの詳細図である。
【産業上の利用可能性】
【００１４】
本発明は、昆虫による果実への摂食を阻止すると共に、外圧から果実を保護するにも有効である。尚、殺虫用の農薬使用回数を減らす事もできる。
【符号の説明】
【００１５】
１  果実
２  果樹袋
３  部品
４  止め金具
５  果樹袋
【図１】
2013233091.tif 000003
【図２】
2013233091.tif 000004
【図３】
2013233091.tif 000005
【図４】
2013233091.tif 000006
(57)【要約】【課題】  本発明は、保冷用タンブラーに関するもので、プラスチックケースとステンレス容器との間に氷水を収容し、タンブラー内部の飲料水を冷却保冷することを目的とする。【解決手段】  外器体１の下側部の周面部適所に内側方向に狭径部３を形成し、この外器体における周面狭径部と底面部５との間には後記底空間部４が形成されるようにし、このように成る外器体の周面狭径部上に任意形状の内器物６の底面部を配置するように成る。使用時においては、前記外器体の底面部と周面狭径部との間において形成する底空間部上に前記内器物の底面部が配置され、この底空間部内には氷塊や冷水を収容するものである。【選択図】    図３
2013233314.tif 000002
【特許請求の範囲】
【請求項１】
外器体の下側部の周面部適所に内側方向に狭径部を形成し、この外器体における周面狭径部と底面部との間には後記底空間部が形成されるようにし、この外器体の周面狭径部には任意形状の内器物の底面部を配置するようにし、使用時において前記外器体の底面部と周面狭径部との間に形成される底空間部内に氷塊や冷水を収容して成ることを特徴とする冷却用タンブラー。
【発明の詳細な説明】
【技術分野】
【０００１】
本発明は、保冷用タンブラーに関するもので、プラスチックケースとステンレス容器との間に氷水を収容し、タンブラー内部の飲料水を冷却保冷することを目的とするものである。
【背景技術】
【０００２】
この種の物品として公知になっているものは、次に例示するような特許文献が存する。
【先行技術文献】
【特許文献】
【０００３】
【特許文献１】特開平１０−１５１０５６号公報
【特許文献２】実開平６−８４２７８号公報
【特許文献３】登録実用新案第３０８９２０４号公報
【特許文献４】登録実用新案第３１５０７６０号公報
【０００４】
このうち、特許文献１はジョッキ又はガラスコップの底面部は開口状態の収納部とし、ここに氷又は保冷剤をスポンジを介して底蓋を被嵌して密封して成るものであるが、氷や保冷剤の出し入れのためには本体を逆様にしなければならないため、器体内部に飲料が残っているときには、氷や保冷剤の交換はできない。
【０００５】
特許文献２は、コップを収容するための冷却容器であり、この容器の周壁部に冷却水を収容した状態にし、この容器が袴となってジョッキを収納するようにしたものであるから、きわめて幼稚な構造の物品である。
【０００６】
特許文献３は、特許文献２と共通の技術思想を有する物品で、容器体の周壁部にドライアイスと水を収容して冷却化するものであるから、予めドライアイスを用意しておかねばならず、突発的な使用をすることができない。
【０００７】
特許文献４の中には、外器体に対し内器体を螺装する構造から成る図面（図２０）も見られるが、その冷却作用のためには手数がかかる態様のものであって、実用性に欠けるものである。
【０００８】
しかしながら、いずれの発明又は考案にあっても、共通する致命的な欠点は、真夏の外出時にあって必要なものは、予め用意しておかなければならないことである。即ち、特許文献１にあっては専用製氷皿を、特許文献２，４にあっては器本体を予め冷凍しておくことを、特許文献３にあってはドライアイスを、それぞれ用意しなければ、その目的を達成することができない欠点がある。
【０００９】
製氷皿や器本体を冷凍する場合は、数時間を要する事前準備が必要であるから、突然の来客時には対応して使用することはできないし、また複数回飲料を入れて冷却しても、その再生のためには再冷凍が必要となる欠点がある。
【００１０】
さらに、複数個使用する場合にあっては、一般家庭の冷凍庫では収納スペースを確保することができない欠点がある。
【発明の概要】
【発明が解決しようとする課題】
【００１１】
そこで、本発明のタンブラーにあっては、長時間冷却した水その他の飲料を使用することができるようにするための構造から成る器具を提供することを目的とするものである。
【課題を解決するための手段】
【００１２】
本発明は、外器体の下側部の周面部適所に内側方向に狭径部を形成し、この外器体における周面狭径部と底面部との間には後記底空間部が形成されるようにし、このように成る外器体の周面狭径部上に任意形状の内器物の底面部を配置するように成るものである。
【００１３】
使用時においては、前記外器体の底面部と周面狭径部との間において形成する底空間部上に前記内器物の底面部が配置され、この底空間部内には氷塊や冷水を収容するものである。
【発明の効果】
【００１４】
このように成る外器体の狭径部周面上に、任意の飲料を収容したタンブラーやコップの内器物を嵌置しておければ、前記外器体の底部空間部に収容している氷塊や冷水によって、内器物内部の冷却化が促進され保冷状態が維持されるようになるから、特に夏の飲料用として効果を上げることができるのである。
【００１５】
前記公知の容器らと比較すると、本発明にあっては、外部の合成樹脂製外器体と内部のステンレス鋼製内器物の底面部間における底空間部は広くとってあるから、一般的な製氷皿で製作した氷が十分収容できるようになり、製氷皿で製作した氷を有効活用することができ、さらに内器物内の飲料の冷却力が弱くなったら、飲料の入ったままで、底空間部に製氷皿の氷を入れ替えることによって冷却力を再生継続することができるようになる。
【図面の簡単な説明】
【００１６】
【図１】外器体の斜視図
【図２】外器体の平面図
【図３】外器体に内器物を嵌挿した状態の中央縦断面図
【図４】内器物の正面図
【発明を実施するための形態】
【００１７】
外器体の内部に内器物を嵌合する前に、まず外器体の内部の底空間部に冷水や氷塊を収容し、しかる後に外器体の周面狭径部上に配置した内器物内に任意の飲料を注入すれば、この飲料は次第に冷却されかつ保冷状態が継続するから、冷却された飲料水になる。
【実施例】
【００１８】
１は把手を有する外器体（通称ジョッキ）で、この外器体は透視性のある合成樹脂材にて成形する。
【００１９】
２は前記外器体１の下側部周面に形成した凹形部で、この凹形部の内周面部はやや膨出して周面狭径部３に成る。
【００２０】
４は前記外器体１の下側部における狭径部３と底面部５との間に形成される比較的広い底空間部で、この底空間部内には氷塊や冷水を収容する。
【００２１】
６は前記外器体１内に口径部の掛止部７を介して嵌挿するステンレス鋼製の内器物（通称タンブラー）で、この内器物の底面部は前記外器体の下側部の周面狭径部上に位置するようになる。この内器物６を外器体１に嵌挿した際には、両器体の周囲には若干の上空間部８が形成されるようになる。
【符号の説明】
【００２２】
１                    外器体
２                    凹形部
３                    周面狭径部
４                    底空間部
５                    底面部
６                    内器物
７                    掛止部
８                    上空間部
【図１】
2013233314.tif 000003
【図２】
2013233314.tif 000004
【図３】
2013233314.tif 000005
【図４】
2013233314.tif 000006
(57)【要約】【課題】  風呂で枕を使う時、適当な柔らかさと適当な温度になるように、蓋付きのプラスチックボトルで風呂用枕を作る。【解決手段】  プラスチックで枕の形の蓋付きボトルを作る。使う人の好みの温度の湯や水を入れ使用し、使い終わった後は湯や水を捨てて保管する。安価で作れる清潔で手軽な風呂用枕であることが特徴である。【選択図】図１
2013233394.tif 000002
【特許請求の範囲】
【請求項１】
プラスチックボトルで作った風呂用枕
【発明の詳細な説明】
【技術分野】
【０００１】  この発明は、適温の湯または水を入れて使うプラスチックボトルタイプの風呂用枕に関するものである。
【背景技術】
【０００２】  風呂用枕としては木製、金属製などの備え付け枕と個人用のウレタンやスポンジ製の枕、空気を入れるタイプの枕がある。
【発明の概要】
【発明が解決しようとする課題】
【０００３】  これは次のような欠点があった。
木製製品、金属製品は硬く、風呂でリラックスした状態で湯船に浸かり浴槽にもたれた時、縁に当たる首が痛い。また、うなじまで温まれないという欠点がある。水を含む素材でできた枕は、カビが生えるなど不衛生である。空気を入れるタイプは首を温めたり冷やしたりすることはできない。
本発明は以上の様な欠点を無くすためになされたものである。
【課題を解決するための手段】
【０００４】  適温の湯または水を出し入れできる蓋付きプラスチックボトルで枕を作る。
本発明は、以上の構成よりなるプラスチックボトルタイプの風呂用枕である。
【発明の効果】
【０００５】  枕がプラスチックボトルタイプなので適当な温度の湯を入れることにより、快適な温度の枕となる。使用後は湯を捨て立てておくことにより、水が切れ清潔に保てる。持ち運びが手軽である。安価に作れる。
【図面の簡単な説明】
【０００６】
【図１】  プラスチックボトルの型の図である。
【図１】
2013233394.tif 000003
(57)【要約】【課題】  従来の靴を履いた場合足にフィットさせる為に靴の甲の部分で足の甲の部分を上から締め付ける為に紐を結ぶなどして調整しているが、これでは靴の中で足が動きやすく足にフィットするには不充分であり靴ずれも出来やすく、足の軽快感が損なわれる。【解決手段】  上記課題を解決するためには靴を足にフィットさせる為に、上から締め付けるだけの発想から、靴の中底にベルトを装着してベルトを引き上げることにより靴底から持ち上げて足裏にフィットさせ其の上で引き上げたベルト両端のマジックテープを靴の甲の部分のマジックテープに密着させて上から締め付ける事により従来に無い足と靴との一体感が生まれ、靴ずれの軽減と足の軽快感が増大する。【選択図】図５
2013233398.tif 000002
【特許請求の範囲】
【請求項１】
靴底のベルト又は紐等を引き上げて足裏に密着させるために、靴底にベルト又は紐等を装着した靴と、靴と足をマジックテープで密着させるためにベルト両端の内側と、靴の甲の部分にマジックテープを設けた靴。
【発明の詳細な説明】
【技術分野】
【０００１】本発明は靴ずれを軽減し、足と靴との一体感をたかめ、つまずき防止と軽快感を増す為に靴を装着する方法に関するものである。
【背景技術】
【０００２】従来足に靴を装着する時、靴の甲の部分を紐で結ぶか又はゴムなど伸縮する素材で左右から締め付ける事による装着方法である。
【発明の概要】
【発明が解決しようとする課題】
【０００３】従来の靴の装着方法では足と靴との密着性が弱くて靴の中で足がずれ易くて靴ずれも起きやすく、足と靴との一体感がすくないので足は靴の重さを感じて軽快感のないものである。【０００４】本発明は従来の方法の課題を解決して、足と靴との密着性を高め靴ずれの防止と軽快感のある靴にする事を目的とするものである。
【課題を解決するための手段】
【０００５】本発明は上記の目的を達成するためにインソールの底面にベルトを装着してその面をアウトソールの足と接触する側に接着させる事によりベルトと靴底が一体となるようにベルトを設けたものである、ベルトの両端にはマジックテープを設け、また靴の甲の部分にもマジックテープを設けたものである。【０００６】本発明は靴を履くとき靴の甲の部分を上から締め付けるだけの方法から、靴底に設けたベルトを充分に引っ張り、靴底を足裏に密着させて其の上で靴の甲の部分を締め付けるものである。
【発明の効果】
【０００７】本発明は靴を足にフィットさせる方法において従来には見られない発想で靴底を足裏に密着させて其の上で靴の甲の部分で締め付けるので、足と靴との一体感が増大して靴の中での足のずれが少なくなり、靴ずれの軽減と靴の軽快感が高まる。
【図面の簡単な説明】
【０００８】
【図１】  本発明の実施形態を示すインソールの斜視図である。
【図２】  本発明のアウトソールの足裏側の平面図である。
【図３】  本発明の実施形態を示す靴内部展開平面図である。
【図４】  本発明の実施形態を示す靴甲の部分の斜視図である。
【図５】  本発明の実施形態を示す透視斜視図である。
【発明を実施するための形態】
【０００９】以下、本発明の実施形態を図１〜図５に基づいて説明する。
【００１０】本発明は靴底を足裏に密着させるのが目的である為、最初に図１のようにインソールの底面２にベルト６を縫い付け又は接着して取り付ける、図では取り付けた部分を６ｃと表示、その後靴の外側を形成する皮革又は繊維素材等４を１０のように縫い付け又は接着して取り付ける
【００１１】上記で取り付けたインソール２の面を図２のアウトソール１ａの面に縫い付け又は接着して取り付ける。
【００１２】上記取り付けた状態でインソールとアウトソールは一体となり、靴内部展開図３に於いて靴の外側を形成する４の内面５にベルト６を通す事の出来る覆い（以降カバーと言う）８ａ、８ｂを縫い付け又は接着して取り付ける。
同じく５にベルト６を靴の内側から外側４に通す穴９を設ける。
【００１３】図３に示す様にベルトの両端部分の内側にマジックテープ６ａ、６ｂ、を設うける、また図４に示す様に靴甲の部分にマジックテープ７ａ、と７ｂ、を設うける
【００１４】以上のように構成された靴を履くときは靴底に密着しているベルトの両端６ａの側、６ｂの側、其々が、靴の内側から穴９を通り靴の外側甲の部分に出ているので（図４、図５）６ａ、と６ｂを充分に引っ張り、靴底を足裏に密着させてから甲の部分に設けたマジックテープ７ｂと６ｂ、７ａと６ａを密着すれば足と靴とが一体となり、靴の中で足のずれも少なくなり、軽快感のある靴となる、一般の靴はもとより、スポーツ用の靴にも適したものであり、高齢者のつまずき防止にも有効である。
【符号の説明】
【００１５】１…アウトソール、１ａ…アウトソールの足裏側、２…インソールの靴底側
３…インソールの足裏側、４…靴の甲側を形成する素材、５…４の内側、
６…ベルト、
６ａ…６の一方の端に設けたマジックテープ
６ｂ…６ａの反対側の端に設けたマジックテープ
６ｃ…インソール２にベルト６を装着した部分
７ａ、７ｂ…靴の甲４に設けたマジックテープ
８…５に設けてベルト６を通すカバー、一方の側を８ａ、他方の側を８ｂ
９…靴内部のベルト６を靴の甲４に通す穴
１０…４を折り曲げて２に接着した部分
１１…舌革
【図１】
2013233398.tif 000003
【図２】
2013233398.tif 000004
【図３】
2013233398.tif 000005
【図４】
2013233398.tif 000006
【図５】
2013233398.tif 000007
(57)【要約】      （修正有）【課題】リュックの背負い部と背中の間に空間を作り、通気性を持たせ、かつ容易に脱着できる構造のリュックを提供する。【解決手段】背中に当たる部分にネット２を配し、リュックの背中部分との間に空間を保てるよう鋼線１を付ける。鋼線１で背面部が体に密着するのを防ぎ通気性を持たせる。銅線１でリュックの形状保持を行う。構造を簡易型にし、装備を着脱可能にすることで当機能が不要な時は普通のリュックとして使用できる。【選択図】図１
2013233399.tif 000002
【特許請求の範囲】
【請求項１】
使用時に背中に当たる部分に鋼線で空間を生む立体形状を作り出し、通気性を持たせたリュック。
【請求項２】
鋼線を容易に着脱できるようにして、取り外した時に容量を増すことが出来るようにしたリュック。
【発明の詳細な説明】
【技術分野】
【０００１】本特許は背負い部分に立体的な形状を作り通気性を高めることで発汗による不快感を和らげ、立体部を簡単に取り外すことで用途が広がる。
【背景技術】
【０００２】従来のリュックサックは背負い部が背中に密着した物が多く、背中に汗をかくため、不快に感じられた。また、従来の商品でその要望を満たしたものはあるが、鉄板等で装着した物で大変重く、また取り外しもできないため不便なものしかなかった。
【発明の開示】
【発明が解決しようとする課題】
【０００３】リュックの背負い部と背中の間に空間を作り、通気性を持たせ、かつ容易に着脱出来る構造にする。
【発明の効果】
【０００４】容易に着脱可能な材料でリュック背面と使用者の背中間に空間を作る。
【課題を解決するための手段】
【０００５】弾力のある線状鋼材をリュックに取り付けて立体構造を作る。なおかつ着脱容易な形状にする。
【発明を実施するための最良の形態】
【０００６】背中に当たる部分にネット▲２▼を配し、リュックの背面部分との間に空間を保てるよう鋼線▲１▼を付ける。鋼線▲１▼ａで背面部が体に密着するのを防ぎ通気性を持たせる。▲１▼ｂでリュックの形状保持を行う。
【図面の簡単な説明】
【０００７】
【図１】対象商品の全体を示した図である。
【図２】特許申請部の構造図
【図３】図２部分の分解図
【図４】対象商品の側面図
【符号の説明】
【０００８】▲１▼  通気性機能を持たせるための鋼線
▲２▼  背中に当たるネット
【図１】
2013233399.tif 000003
【図２】
2013233399.tif 000004
【図３】
2013233399.tif 000005
【図４】
2013233399.tif 000006
(57)【要約】      （修正有）【課題】１本の筆記具で安定した２重線が得られ、あまりインキを使用せずに、美的で、大きな字や絵を書くことができる筆記具を提供する。【解決手段】１本の筆記用具１の先に、３ｍｍ以内の間隔で２個の筆記部２を取り付けた。【選択図】図１
2013233783.tif 000002
【特許請求の範囲】
【請求項１】
筆記部を２個有し、かつ２個の筆記部の間隔が３ｍｍ以内である、筆記用具。
【発明の詳細な説明】
【技術分野】
【０００１】本発明は、一度の筆運びで二重線が書ける筆記用具に関するものである。【０００２】筆記用具を用いて大きな文字や絵を書くとき、ボールペンや万年筆などでは、線幅が狭いため、見栄えがせず、迫力がなくなる。【０００３】一方筆を使うと線が濃くなりすぎる。【０００４】適度な濃さで、見栄えのある線を書くためには、二重線を用いるのが望ましい。
【発明の概要】
【発明が解決しようとする課題】
【０００５】しかし、文字や絵を二重線で現すには、同じ線軌跡を二度書く必要がある。しかも、二度書きでは、二本の線の間隔にばらつきが生じ易いので、美的感に欠ける。【０００６】筆記用具（例えばボールペン）を二本持って、同時に線を書く方法もあるが、この場合筆記用具が持ち難く、更には筆記部の間隔が広くなってしまうために、望ましい文字や絵が書き難い。【０００７】適度な線間隔で安定した線が書ける手段が望まれる。
【課題を解決するための手段】
【０００８】本発明では、上記課題を解決するために、筆記部を２箇所備えた筆記用具を考案した。しかも、美的感点から、２箇所の筆記部の間隔を３ｍｍ以下に限定した。【０００９】図１はその一例で、１本のボールペン本体１の先端にボールポイント２が２個付いている。しかも、２個のボールポイントの間隔は３ｍｍ以下に限定してある。図１において、３はインキである。
【発明の効果】
【００１０】このようなペンを用いると、容易に美的な２重線が書ける。図４はこのペンを用いて書いた文字と絵の一例である。【００１１】図２は他の例で、２色のペン先を有するボールペンである。図において、３−１は黒インキ、３−２は赤インキである。これ以外に種々の色の組合せが考えられ、バラエティーに富んだ２重線が楽しめる。
太い線と細い線の組合せも可能である。【００１２】本発明は、ボールペン以外にも適用できる。【００１３】図３は万年筆のペン先に応用した例である。万年筆に限らず、かぶらペンのペン先にも応用できる。
【図面の簡単な説明】
【００１４】
【図１】本発明による筆記具の１例で、先端に２個のボールポイントを有したボールペンである。
【図２】本発明による筆記具の他の例で、先端に２色のボールポイントを有したボールペンである。
【図３】本発明を万年筆に応用したときのペン先の図である。
【図４】本発明による筆記具で書いた文字と絵の１例である。
【発明を実施するための形態】
【００１５】  １本の筆記用具に、３ｍｍ以下の間隔で２箇所に筆記部を取り付けると、美的で安定した２重線が容易に描ける。２箇所の筆記部の色を変えることにより、更にバラエティーに富んだ線が得られる。
【実施例１】
【００１６】本発明をボールペンに応用した例を図１に示す。図において、１は本体、２はボールポイント、３はインキである。
【実施例２】
【００１７】  本発明を２色のボールポイントに応用した例である。図において、１は本体、２はボールポイント、３−１は黒インキ、３−２は赤インキである。
【実施例３】
【００１８】  本発明を万年筆に応用したときのペン先の例である。図３において、４はペン先、５−１，５−２は筆記部である。
【産業上の利用の可能性】
【００１９】  １本の筆記用具の先端に２個の筆記部を取り付けることにより、安定した２重線が得られ、あまりインキを使用せずに、美的で、大きな字や絵を書くことができる。
【符号の説明】
【００２０】１      ボールペン本体
２      ボールポイント
３      インキ
３−１  黒インキ
３−２  赤インキ．
４      ペン先
５      ペン先の筆記部
【図１】
2013233783.tif 000003
【図２】
2013233783.tif 000004
【図３】
2013233783.tif 000005
【図４】
2013233783.tif 000006